(57)【要約】【課題】  部品点数の削減及び組み付け作業性の向上によりコストダウンが図れるコネクタ固定方法（及びコネクタ固定構造）を提供する。【解決手段】  基板１にコネクタ端子３を固定し、その後、コネクタ端子３を内部に収容するようコネクタハウジング４を基板１上に配置し、コネクタハウジング４が配置完了位置に位置すると、コネクタハウジング４とコネクタ端子３に設けられた係止手段５が係止され、コネクタハウジング４がコネクタ端子３を介して基板１に固定される。【選択図】      図２
2005251688.tif 000002
【特許請求の範囲】
【請求項１】
基板と、この基板に固定されたコネクタ端子と、このコネクタ端子を内部に収容した状態で前記基板上に配置されたコネクタハウジングと、このコネクタハウジングと前記コネクタ端子に設けられ、該コネクタハウジングを前記基板の所定位置に配置完了した位置で係止され、該コネクタハウジングを前記コネクタ端子を介して前記基板に固定する係止手段と、を備えたコネクタ固定構造。
【請求項２】
請求項１記載のコネクタ固定構造であって、
前記係止手段は、前記コネクタハウジングに設けられ、弾性撓み変形自在な係止アームと、前記コネクタ端子に設けられ、前記係止アームが弾性撓み復帰変形により係止される係止孔とから構成されたことを特徴とするコネクタ固定構造。
【請求項３】
基板にコネクタ端子を固定し、その後、前記コネクタ端子を内部に収容するようにコネクタハウジングを前記基板上に配置し、このコネクタハウジングが配置完了位置に位置すると、該コネクタハウジングと前記コネクタ端子に設けられた係止手段が係止され、前記コネクタハウジングが前記コネクタ端子を介して前記基板に固定されることを特徴とするコネクタ固定方法。
【発明の詳細な説明】
【技術分野】
【０００１】
本発明は、基板にコネクタを固定するコネクタ固定構造及びコネクタ固定方法に関する。
【背景技術】
【０００２】
この種の従来例として、図７に示すものがある（例えば、特許文献１参照）。
【０００３】
図７に示すように、コネクタ固定構造は、基板５０と、この基板５０に固定されたコネクタ５１とから構成されている。基板５０にはスルーホール５０ａが形成されている。コネクタ５１は、コネクタ端子５２と、このコネクタ端子５２が内部に収容されたコネクタハウジング５３とから構成されている。コネクタ端子５２は、一端側がコネクタハウジング５３のフード部５３ａ内に突出され、他端側が基板５０のスルーホール５０ａに挿入されている。そして、基板５０のスルーホール５０ａから外部に突出されたコネクタ端子５２の箇所が半田付け部５４によって基板５０に固定されている。コネクタハウジング５３は、基板５０に固定ネジ５５によって固定されている。
【０００４】
次に、上記コネクタ固定構造の組み付け手順（コネクタ固定方法）を説明する。コネクタ端子５２をコネクタハウジング５３の孔に挿入し、コネクタ端子５２の一端側がフード部５３ａ内に、コネクタ端子５２の他端側がコネクタハウジング５３の底面側にそれぞれ突出するよう支持する。これで、コネクタ５１が組み付けされる。
【０００５】
次に、コネクタ５１のコネクタ端子５２の他端側を基板５０のスルーホール５０ａに挿入しつつ、コネクタハウジング５３を基板５０上の所定位置に配置する。次に、コネクタハウジング５３を基板５０に固定ネジ５５で固定する。最後に、コネクタ端子５２の基板５０より突出した箇所に半田付け部５４を形成し、コネクタ端子５２を基板５０に固定すれば完了する。
【特許文献１】特開平１０−２３３２６３号公報
【発明の開示】
【発明が解決しようとする課題】
【０００６】
しかしながら、前記従来のコネクタ固定構造及び固定方法では、コネクタ端子５２を基板５０に半田付け５４で固定すると共にコネクタハウジング５３を基板５０に固定ネジ５５で固定していた。従って、コネクタ端子５２とコネクタハウジング５３の双方を個々に基板５０に固定しているため、部品点数が多く、且つ、組み付け作業性が悪く、コスト高であるという問題があった。
【０００７】
そこで、本発明は、前記した課題を解決すべくなされたものであり、部品点数の削減及び組み付け作業性の向上によりコストダウンが図れるコネクタ固定構造及びコネクタ固定方法を提供することを目的とする。
【課題を解決するための手段】
【０００８】
請求項１の発明は、基板と、この基板に固定されたコネクタ端子と、このコネクタ端子を内部に収容した状態で前記基板上に配置されたコネクタハウジングと、このコネクタハウジングと前記コネクタ端子に設けられ、該コネクタハウジングを前記基板の所定位置に配置完了した位置で係止され、該コネクタハウジングを前記コネクタ端子を介して前記基板に固定する係止手段と、を備えたコネクタ固定構造である。
【０００９】
このコネクタ固定構造では、コネクタ端子を基板に固定する必要があるが、コネクタハウジングを基板の所定位置に配置すれば、その配置作業の過程で係止手段が係止してコネクタハウジングがコネクタ端子を介して基板に固定される。
【００１０】
請求項２の発明は、請求項１記載のコネクタ固定構造であって、前記係止手段は、前記コネクタハウジングに設けられ、弾性撓み変形自在な係止アームと、前記コネクタ端子に設けられ、前記係止アームが弾性撓み復帰変形により係止される係止孔とから構成されたことを特徴とするコネクタ固定構造である。
【００１１】
このコネクタ固定構造では、一般に合成樹脂材より形成されるコネクタハウジングに弾性撓み変形可能な係止アームを、一般に金属材より形成されるコネクタ端子に係止孔を、それぞれ形成する。
【００１２】
請求項３の発明は、基板にコネクタ端子を固定し、その後、前記コネクタ端子を内部に収容するようにコネクタハウジングを前記基板上に配置し、このコネクタハウジングが配置完了位置に位置すると、該コネクタハウジングと前記コネクタ端子に設けられた係止手段が係止され、前記コネクタハウジングが前記コネクタ端子を介して前記基板に固定されることを特徴とするコネクタ固定方法である。
【００１３】
このコネクタ固定方法では、コネクタ端子を基板に固定する必要があるが、コネクタハウジングを基板の所定位置に配置すれば、コネクタハウジングがコネクタ端子を介して基板に固定される。
【発明の効果】
【００１４】
以上説明したように、請求項１の発明によれば、コネクタ端子を基板に固定する必要があるが、コネクタハウジングを基板の所定位置に配置すれば、その配置作業の過程で係止手段が係止してコネクタハウジングをコネクタ端子を介して基板に固定できるため、従来例のように、コネクタハウジングを固定するための固定ネジ等が必要なく、当然に固定ネジ等を用いた組み付け作業も必要ない。従って、部品点数の削減及び組み付け作業性の向上によりコストダウンを図ることができる。
【００１５】
請求項２の発明によれば、一般に合成樹脂材より形成されるコネクタハウジングに弾性撓み変形可能な係止アームを、一般に金属材より形成されるコネクタ端子に係止孔を、それぞれ形成するため、係止手段を容易に製造できる。
【００１６】
請求項３の発明によれば、コネクタ端子を基板に固定する必要があるが、コネクタハウジングを基板の所定位置に配置すれば、コネクタハウジングを基板に固定できるため、従来例のようにコネクタハウジングを固定するための固定ネジ等が必要なく、当然に固定ネジ等を用いた組み付け作業も必要ない。従って、部品点数の削減及び組み付け作業性の向上によりコストダウンが図れる。
【発明を実施するための最良の形態】
【００１７】
以下、本発明の一実施形態を図面に基づいて説明する。
【００１８】
図１〜図６は本発明の一実施形態を示し、図１はコネクタを基板に固定した状態を示す斜視図、図２は図１中Ａ−Ａ線に沿う断面図、図３はコネクタ端子を基板に組み付ける過程を示す斜視図、図４は図３中Ｂ−Ｂ線に沿う断面図、図５はコネクタハウジングを基板に組み付ける過程を示す斜視図、図６は図５中Ｃ−Ｃ線に沿う断面図である。
【００１９】
図１及び図２に示すように、コネクタ固定構造は、基板１と、この基板１に固定されたコネクタ２とから構成されている。基板１には所定箇所に圧入孔１ａが形成されている。
【００２０】
コネクタ２は、コネクタ端子３と、このコネクタ端子３を内部に収容するフード部４ｂを有するコネクタハウジング４とから構成されている。
【００２１】
コネクタ端子３は、導電性金属材のブスバーにて形成され、基面部３ａと、この基面部３ａの一端より上方に立設された接触部３ｂと、基面部３ａの他端より下方に垂設されたピン部３ｃとを有し、接触部３ｂに係止手段５の係止孔５ａが形成されている。
【００２２】
コネクタハウジング４は、合成樹脂材にて形成され、ハウジング本体４ａと、このハウジング本体４ａの上方に一体に固定された上記したフード部４ｂとから成る。ハウジング本体４ａは、方形枠状で、その内部には係止手段５の係止アーム５ｂが設けられている。係止アーム５ｂは、弾性撓み変形自在に形成されており、この係止アーム５ｂと前記係止孔５ａによって係止手段５が構成されている。
【００２３】
次に、上記したコネクタ固定構造の組み付け手順（コネクタ固定方法）を説明する。図３及び図４に示すように、コネクタ端子３のピン部３ｃを基板１の圧入孔１ａに圧入し、コネクタ端子３を基板１に固定する。次に、図５及び図６に示すように、コネクタ端子５を内部に収容するようコネクタハウジング４を基板１の上方から配置する。コネクタハウジング４が基板１上の配置完了位置に位置すると、コネクタハウジング４の係止アーム５ｂが弾性撓み復帰変形によってコネクタ端子３の係止孔５ａに係止され、コネクタハウジング４がコネクタ端子３を介して基板１に固定される。以上により、組み付け作業が完了する。
【００２４】
以上、このコネクタ固定構造及び固定方法では、コネクタ端子３を基板１に固定する必要があるが、コネクタハウジング４を基板１の所定位置に配置すれば、その配置作業の過程で係止手段５が係止してコネクタハウジング４をコネクタ端子３を介して基板１に固定できるため、従来例のようにコネクタハウジング４を固定するための固定ネジ等が必要なく、固定ネジ等を用いた組み付け作業も必要ない。従って、部品点数の削減及び組み付け作業性の向上によりコストダウンが図れる。
【００２５】
上記実施形態では、係止手段５は、コネクタハウジング４に設けられ、弾性撓み変形自在な係止アーム５ｂと、コネクタ端子３に設けられ、係止アーム５ｂが弾性撓み復帰変形により係止される係止孔５ａとから構成されたので、合成樹脂材より形成されるコネクタハウジング４には弾性撓み変形可能な係止アーム５ｂを、金属材より形成されるコネクタ端子３には係止孔５ａをそれぞれ形成するため、係止手段５を容易に製造できる。尚、係止手段５の構成としては、上記実施形態と逆に、コネクタハウジング４に係止孔５ａを、コネクタ端子３に係止アーム５ｂを設けた構成としても良い。また、係止手段５は、コネクタハウジング４の基板１への配置過程にあって、コネクタハウジング４をコネクタ端子３に係止できる手段であれば、どのような構成であっても良い。
【００２６】
上記実施形態によれば、コネクタ端子３のピン部３ｃは圧入によって基板１に固定されたが、コネクタ端子３のピン部３ｃの基板１より突出した箇所を半田付けすることによって基板１に固定しても良い。
【図面の簡単な説明】
【００２７】
【図１】本発明の一実施形態を示し、コネクタを基板に固定した状態を示す斜視図である。
【図２】本発明の一実施形態を示し、図１中Ａ−Ａ線に沿う断面図である。
【図３】本発明の一実施形態を示し、コネクタ端子を基板に組み付ける過程を示す斜視図である。
【図４】本発明の一実施形態を示し、図３中Ｂ−Ｂ線に沿う断面図である。
【図５】本発明の一実施形態を示し、コネクタハウジングを基板に組み付ける過程を示す斜視図である。
【図６】本発明の一実施形態を示し、図５中Ｃ−Ｃ線に沿う断面図である。
【図７】従来例のコネクタ固定構造を示す断面図である。
【符号の説明】
【００２８】
１  基板
２  コネクタ
３  コネクタ端子
４  コネクタハウジング
５  係止手段
５ａ  係止孔
５ｂ  係止アーム
【図１】
2005251688.tif 000003
【図２】
2005251688.tif 000004
【図３】
2005251688.tif 000005
【図４】
2005251688.tif 000006
【図５】
2005251688.tif 000007
【図６】
2005251688.tif 000008
【図７】
2005251688.tif 000009